(57)【要約】 【課題】洗剤を用いずに優れた洗浄力が得られ、且つ、人体や環境に対する負荷も極めて小さい清掃用具を提供する。【解決手段】スポンジ基材と、このスポンジ基材の表面に設けた粒状の重曹または粒状のクエン酸を含む摺擦体とで構成する。【選択図】図１
0003135553.tif 000002
【実用新案登録請求の範囲】
【請求項１】
スポンジ基材と、このスポンジ基材の表面に設けた粒状の重曹および／または粒状のクエン酸で成る洗浄剤を含む摺擦体とで構成されることを特徴とする清掃用具。
【請求項２】
前記摺擦体は、前記洗浄剤が固着されたシート部材で成り、当該摺擦体が前記スポンジ基材の表面に接着されて成ることを特徴とする請求項１に記載の清掃用具。
【請求項３】
前記スポンジ基材を角柱状に形成すると共に、少なくとも１面に前記摺擦体を設けて成ることを特徴とする請求項１または請求項２に記載の清掃用具。
【請求項４】
前記スポンジ基材は、メラミン樹脂で成ることを特徴とする請求項１から請求項３までの何れかに記載の清掃用具。
【考案の詳細な説明】
【技術分野】
【０００１】
本考案は、食器類や調理器具等を洗浄する際に使用する清掃用具に関するものである。
【背景技術】
【０００２】
従来、家庭内において、食事の後の汚れが付着した食器類や調理器具等を洗浄する場合、これら被洗浄体を洗剤を含ませたスポンジたわしで摺擦することが一般的に行われている。スポンジたわしとしては、主に、ウレタンスポンジをネットで包んだネットたわしや、表面を凸凹に形成したウレタンスポンジやウレタンスポンジに研磨用の硬い不織布を接着した貼り合わせタイプ等が使用されているおり、これらスポンジたわしの有する柔軟性により、被洗浄体に傷を付けずに汚れを落とすことができる。
【０００３】
ところで、食器洗い等に使用される上記洗剤は、一般的に、油汚れを落とせる優れた洗浄力を得るため、強アルカリ性塩類や界面活性剤等が配合された合成洗剤が用いられていることから、洗浄の際に作業者が直接手に触れると肌荒れを起こしたり、洗剤を下水に排水すると環境（水質）が汚染される等の問題があり、合成洗剤の環境に対する負荷の大きさが問題視されている。
【考案の開示】
【考案が解決しようとする課題】
【０００４】
本考案は、係る現状に鑑み成されたもので、洗剤を用いずに優れた洗浄力が得られ、且つ、人体や環境に対する負荷も極めて小さい清掃用具を提供することを目的としている。
【課題を解決するための手段】
【０００５】
請求項１に記載の清掃用具は、スポンジ基材と、このスポンジ基材の表面に設けた粒状の重曹および／または粒状のクエン酸で成る洗浄剤を含む摺擦体とで構成されることを特徴としている。
【０００６】
また、請求項２に記載の考案は、請求項１に記載の清掃用具において、前記摺擦体は、前記洗浄剤が固着されたシート部材で成り、当該摺擦体が前記スポンジ基材の表面に接着されて成ることを特徴としている。
【０００７】
また、請求項３に記載の考案は、請求項１または請求項２に記載の清掃用具において、前記スポンジ基材を角柱状に形成すると共に、少なくとも１面に前記摺擦体を設けて成ることを特徴としている。
【０００８】
また、請求項４に記載の考案は、請求項１から請求項２に記載の清掃用具において、前記スポンジ基材は、メラミン樹脂で成ることを特徴としている。
【考案の効果】
【０００９】
本考案によれば、重曹は、水に溶けると弱アルカリ性を示すため、食器等に付着した油汚れを分解し、また、クエン酸は水に溶けると弱酸性を示すため、キッチンのシンクや蛇口等に付着したカルシウムや水垢等を分解することができる。  これらの分解作用で、被洗浄体の表面に浮き上がった汚れは、スポンジ基材によって擦り取ることができる。特に、メラミン樹脂は適度な研磨性を有するため、その研磨効果により、上がった汚れを洗剤を使わずに水だけで綺麗に除去することができる。
【００１０】
また、重曹やクエン酸は人体に対して無害であり、且つ、洗浄した水をそのまま下水に流しても重曹やクエン酸は容易に分解されてしまうため、環境に対する負荷も極めて小さい。
【考案を実施するための最良の形態】
【００１１】
以下、図面に基づいて本考案の実施形態を説明する。図１は、本考案による清掃用具の外観斜視図、図２は側面図である。
【００１２】
本実施形態による清掃用具は、図１、図２に示すように、食器類や調理器具等の被洗浄体に付着した汚れを拭う摺擦体４と、この摺擦体４を保持する直方形状のスポンジ基材１とで構成されている。
【００１３】
上記摺擦体４は、表面に洗浄剤３として、粒状の重曹、または粒状のクエン酸が固着されたシート部材２（例えば、耐水性の紙や不織布）で成り、この摺動体４が接着材や溶着等にて上記スポンジ基材１の一つの面に接着されている。粒状の洗浄剤３の平均粒径は、３００〜４００μｍである。
【００１４】
上記スポンジ基材２としては、弾力性、可撓性に富む、フェノール樹脂、エポキシ樹脂、ウレタン樹脂、メラミン樹脂等が使用可能であるが、本実施形態では、これらのスポンジ材の内、適度の研磨性を有するメラミン樹脂が使用されている。
【００１５】
上記構成の清掃用具を用いるには、スポンジ基材１を掴み、水をかけながら摺擦体４を被洗浄体に押し付けるようにして摺擦する。スポンジ基材１の適度な弾力性により、摺擦体４を洗浄対象面に均一に押圧させることができるため、被洗浄体にこびり付いた汚れを効率良く摺擦することができる。
【００１６】
重曹は、水に溶けると弱アルカリ性を示すため、食器等に付着した油汚れを良く分解し、また、クエン酸は水に溶けると弱酸性を示すため、キッチンのシンクや蛇口等に付着したカルシウムや水垢等を良く分解する。
また、これら粒状の洗浄剤３はスポンジ基材１に固着されているため、洗浄時に洗浄剤３が直ちに水に流されて分散してしまうことはなく、被洗浄体にある程度の時間粒状の状態で接触させておくことができ、その間、洗浄剤３による洗浄力を持続させることができる。また、粒体の奏する研磨性により被洗浄体に付着した汚れを擦り取る効果も得られる。
【００１７】
次に、洗浄剤３による油分、或いはカルシウムや水垢の分解作用で、被洗浄体の表面に浮き上がった汚れをスポンジ基材１の面を利用して擦り取る。特に、メラミン樹脂は、適度な研磨性を有するため、浮き上がった汚れを洗剤を使わずにその研磨作用によって水だけで綺麗に除去することができる。
【００１８】
また、重曹は医薬や食品等に使用され、クエン酸は食品添加物として使用されており、何れも人体に対して無害であり、洗浄の際に洗浄剤３がとけ込んだ水に直接触れても手荒れや肌荒れ等を起こす心配はなく、且つ、洗浄した水をそのまま下水に流しても重曹やクエン酸は容易に分解されてしまうため、環境に対する負荷も極めて小さい。
【００１９】
以上、本実施形態では、洗浄剤３として粒状の重曹または粒状のクエン酸を用いたが、重曹とクエン酸の混合粒体を用いることも、勿論可能であり、この場合は、油汚れ、カルシウムや水垢等を一度に洗浄可能である。
また、本実施形態による清掃用具は、食器や調理器具の洗浄の他、トイレ、洗面台、浴室の洗浄にも使用できることは勿論である。
【図面の簡単な説明】
【００２０】
【図１】本考案の実施形態による清掃具の斜視図。
【図２】同、清掃具の側面図。
【符号の説明】
【００２１】
１  スポンジ基材
２  シート部材（紙、不織布）
３  洗浄剤（粒状の重曹、粒状のクエン酸）
４  摺擦体
【図１】
0003135553.tif 000003
【図２】
0003135553.tif 000004